(57)【要約】【課題】  壁掛け使用、デスク上へ設置使用がともに可能な薄型テレビ装置を提供する。係合凸部の端部の摩耗が最小限とされ、耐久性に優れ凹凸係合が安定して行なわれるカム機構を提供する。【解決手段】薄型のテレビ本体２の背面に、テレビ本体２の立設支持ど係止支持との両機能を持つ支持具５が一体に備えられてなる薄型テレビ装置。【選択図】  図１
2006209043.tif 000002
【特許請求の範囲】
【請求項１】
薄型のテレビ本体の背面に、前記テレビ本体の立設支持と係止支持との両機能を持つ支持具が一体に備えられてなることを特徴とする薄型テレビ装置。
【発明の詳細な説明】
【技術分野】
【０００１】  この発明は薄型テレビ装置の支持構造に関する。
【背景技術】
【０００２】  最近では液晶構造等の薄型テレビ装置が広く出回っている。この薄型テレビ装置はその薄型形状の特性を生かして壁に掛けたりデスク上に置いたりして用いられている。
【発明の開示】
【０００３】  上記の壁掛けタイプのものとデスク設置タイプのものとではその支持構造が異なり、現状のものでは別途異なる形状の支持具を取り付けており、その結果、製造に際して生産コストが高くなる問題があり、また、使用者はその使用形態が限られるという問題点があった。
【発明が解決しようとする課題】
【課題を解決するための手段】
【０００４】  この発明は上記の事情に鑑みておこなったもので、壁掛け使用、デスク上へ設置使用がともに可能な薄型テレビ装置を提供することを目的とする。
【０００５】  上記目的を達成するために、この発明では、薄型のテレビ本体の背面に、前記テレビ本体の立設支持と係止支持との両機能を持つ支持具が一体に備えられてなる薄型テレビ装置を提供する。
【０００６】  上記構成によれば、支持具がテレビ本体の立設支持と係止支持との両機能を持つことで、デスク上への立設使用と壁掛け使用とがともに行なえるようになる。
【発明の効果】
【０００７】  この発明によれば、デスク上での使用、壁掛け使用がともに可能な使用に便利な薄型テレビ装置が得られるようになる。また、それぞれの使用タイプの薄型テレビ装置を別途生産することが回避できるようになって、その結果、生産効率が良くなることで生産コストが低減されるようになる。
【発明を実施するための最良の形態】
【０００８】  図１はこの発明の薄型テレビ装置の第１の実施形態の背面側の外観斜視図である。薄型テレビ装置１において２は薄型のテレビ本体であり、その背面中央上部に取り付け具３が固設され、その取り付け具３を介して支持具５が取り付けられている。支持具５は一対のアーム部６が下端において基部８により連結された構成となっており、アーム部６それぞれの上端部９それぞれが上記取り付け具３の後方に突出する一対の取り付け片１０それぞれの部位において軸支持されて取り付けられている。【０００９】  図２はその軸支持構成を示し、固定ピン１２が取り付け具３の取り付け片１０と支持具５のアーム部６の上端部９をともに挿通する状態において、固定ピン１２端部のネジ部１３にナット１５が装着されて締め付け固定されることで支持具５は取り付けられている。１４は皿バネでありナット１５の締め付けに際して取り付け片１０とアーム部６の上端部９とを互いに圧接させ、これにより、アーム部６をある程度の強度において固定して所定値を越える力が働かないと支持具５が回動しないようにしている。２０はワッシャ、２１のそれぞれは滑り板であり、滑り板２１はアーム部６の回動がスムーズに行なわれるように設けられている。【００１０】  図１において２３は支持具５の軸支持取り付け部を覆うカバーであり、その係止凸部２４がテレビ本体２背面の係止穴２５に嵌入されることで装着され、これによって意匠性を高めている。【００１１】  上記薄型テレビ装置１は、カバー２３が装着された図１に示す状態でデスク上に置かれて用いられる。その際にはアーム部６の基部８がデスク上に置かれる状態においてテレビ本体２は支持具５に支えられ立設される。支持具５が回動されることでテレビ本体２の傾斜角度が調整される。【００１２】  図３は薄型テレビ装置１の壁掛け支持の状態を示し、支持具５のアーム部６が図１に示す状態から略１８０度回動された位置において、その基部８が壁３０に取り付けられたフック３１に係止されて吊り下げ状態に支持されている。【００１３】  図４は薄型テレビ装置１をデスク上へスタンド４０を用いて立設した状態を示す。スタンド４０は円筒部４１を備え、その円筒部４１内に支持具５が嵌入されることで立設されている。支持具５がスタンド４０の円筒部４１により覆われることで意匠性が高められている。【００１４】  図５はこの発明の薄型テレビ装置の第２の実施形態の正面側の外観斜視図であり、図においてテレビ本体１０１は一点鎖線で示している。支持具５０は環状の基台部５１の後部台５２にアーム部５３がその下端を回動可能に軸支持されて取り付けられ、そのアーム部５３の上端に回動可能に軸支持されて取り付けられた一対の取り付け片５４にテレビ本体１０１が取り付けられている。この薄型テレビ装置１００は図５に示す状態においてデスク上に置かれて用いられ、取り付け具５４部分で回動されることでテレビ本体１０１の傾斜角度が調整される。【００１５】  また、支持具５０の背面には、図６に示すように、一対の係止穴５５が設けられ、これら係止穴５５が壁面のフックに係止されることで薄型テレビ装置１００は壁掛け支持される。その際には、図６に示すように、アーム部５３が図５に示す位置か��前方に倒され、かつ、取り付け具５４が前方に向く位置とされる。５６のそれぞれは支持具５０の裏面に若干突出して付設されるゴム座であり、これらゴム座５６が壁面に接触することで薄型テレビ装置１００の壁掛け支持が安定して行なわれる。【００１６】  図７はこの発明の薄型テレビ装置の第３の実施形態の背面側の外観斜視図である。薄型テレビ装置２００において２０１は薄型のテレビ本体であり、６０は支持具である。支持具６０はベース部６１と連接部６２と取り付け部６３とからなり、それぞれが軸支部６５、６６を介して回動可能に連結され、全体が折り畳み可能な構成とされている。ベース部６１には一対の係止穴６７が設けられ、取り付け部６３は前面板６８を一体に備え、その前面にテレビ本体２０１が取り付けられている。【００１７】  薄型テレビ装置２００は、図７に示す状態においてデスク上において用いられ、軸支部６５、６６部分が回動されることでテレビ本体２０１の傾斜角度が自在に調整される。図８から図１０は薄型テレビ装置２００の壁掛け支持状態の異なる形態それぞれを示し、上記係止穴６７それぞれに壁面から突出するフックが係止されることでおこなわれ、その際にはベース部６１の裏面に付設されたゴムプレート７２が壁７０面に接触することで薄型テレビ装置２００の壁掛け支持が安定して行なわれる。【００１８】  薄型テレビ装置２００はその配置されるスペースや高さ位置等に対応して、テレビ本体２０１の壁７０面からの突出位置、傾斜角度が適宜選択されて用いられる。
【図面の簡単な説明】
【図１】  この発明の薄型テレビ装置の第１の実施形態の背面側外観斜視図
【図２】  この発明の薄型テレビ装置の第１の実施形態の要部構成図
【図３】  この発明の薄型テレビ装置の第１の実施形態の使用説明図
【図４】  この発明の薄型テレビ装置の第１の実施形態の使用説明図
【図５】  この発明の薄型テレビ装置の第２の実施形態の正面側外観斜視図
【図６】  この発明の薄型テレビ装置の第２の実施形態の支持具の壁掛け使用時の正面側外観斜視図
【図７】  この発明の薄型テレビ装置の第３の実施形態の背面側外観斜視図
【図８】  この発明の薄型テレビ装置の第３の実施形態の使用説明図
【図９】  この発明の薄型テレビ装置の第３の実施形態の使用説明図
【図１０】  この発明の薄型テレビ装置の第３の実施形態の使用説明図
【符号の説明】
１    薄型テレビ装置
２    テレビ本体
５    支持具
【図１】
2006209043.tif 000003
【図２】
2006209043.tif 000004
【図３】
2006209043.tif 000005
【図４】
2006209043.tif 000006
【図５】
2006209043.tif 000007
【図６】
2006209043.tif 000008
【図７】
2006209043.tif 000009
【図８】
2006209043.tif 000010
【図９】
2006209043.tif 000011
【図１０】
2006209043.tif 000012